(57)【要約】      （修正有）【課題】仰臥や座位で同時に複数の本を使用でき、仰臥で重量がある大型の本を安定的に使用できる書見台を得る。【解決手段】左右に摺動可能な頁押え３を具備した載置板１と支柱２と脚部と支え杆６で構成した書見台において、左右に二本の支柱２を設け、その支柱２に本支え板４と頁押え３を設けた載置板１を、支柱２と組み合つて上下に移動可能、且つ固定可能に取り付け、前記支柱２の下方部に支え杆６を、支柱と組み合つて上下に移動、回動可能且つ固定可能に取り付ける。【選択図】図１
2006297033.tif 000002
【特許請求の範囲】
【請求項１】
左右に摺動可能な頁押えを具備した載置板と支柱と脚部と支え杆で構成した書見台において、左右に二本の支柱を設け、その支柱に本支え板と頁押えを設けた載置板を、支柱と組み合つて上下に移動可能、且つ固定可能に取り付け、前記支柱の下方部に支え杆を、支柱と組み合つて上下に移動、回動可能且つ固定可能に取り付けた書見台。
【請求項２】
支え杆を、載置板に回動自在、且つ固定可能に取り付けたことを特徴とする請求項１記載の書見台。
【請求項３】
頁押えの取り付けが、回動自在であることを特徴とする請求項１記載、又は２記載の書見台。
【発明の詳細な説明】
【技術分野】
【０００１】  本発明は、仰臥及び座位で同時に複数の本や、大型の本を安定的に使用することができる書見台に関する。
【背景技術】
【０００２】  従来の書見台には、本のサイズにより、頁押えを左右に摺動させて、頁押えの左右の幅を調節可能にし、仰臥や座位で使用できるものもある。（例えば、特許文献１参照）
また、受験生やパソコン操作のとき、何冊の本を同時に広げ作業するものもある。（例えば、特許文献２参照）【０００３】  以下、図４（イ）（ロ）により従来の書見台について説明する。図４（イ）において、１は載置板で本を載置する。２は支柱で脚部１５と載置板１を連結している。６は支え杆で支柱２に回動、摺動自在に取り付けて、傾斜した書見台を支え、且つ上下に摺動させて傾斜角度を調節している。３は頁押えで載置板に左右に摺動自在に取り付けている。頁押え３は本のサイズにより調節して使用する。仰臥と座位で使用するときの切り替えは、支え杆６の前後の向きを変えて行う。仰臥で使用するときは、仰臥した身体の上に配置する。【０００４】  図４（ロ）のものは、複数の載置板１と支柱２と脚部１５をアーム２１で連結して構成したものである。【０００５】
【特許文献１】  特願２００５−１１３８７５
【特許文献２】  特開２０００−３４２３４９
【発明の開示】
【発明が解決しようとする課題】
【０００６】  以上に述べた従来の書見台では、仰臥で複数の本を使用できるようにしたものはない。また仰臥で重量がある大型の本を使用するときは、転倒を防止するため手で抑える必要があり、面倒であつた。【０００７】  本発明は、このような従来の構成が有していた問題を解決しようとするものであり、座位はもちろん、仰臥でも複数の本の使用ができ、また大型本を載置しても転倒することなく、安定的に使用可能な書見台を実現することを目的とするものである。
【課題を解決するための手段】
【０００８】  そして、本発明は上記目的を達成するために左右に摺動可能な頁押えを具備した載置板と支柱と脚部と支え杆で構成した書見台において、左右に二本の支柱を設け、その支柱に本支え板と頁押えを設けた載置板を、支柱と組み合つて上下に移動可能、且つ固定可能に取り付け、前記支柱の下方部に支え杆を、支柱と組み合つて上下に移動、回動可能、且つ固定可能に取り付けたものである。【０００９】  また支え杆を下段の載置板に回動自在、固定可能に取り付けてもよい。また頁押えを回動自在に取り付けると後述する理由により効果的である。【００１０】  上記の解決手段による作用は次ぎの通りである。すなわち、座位で使用する場合は、二本の支え杆を書見台の後部側に配設するようにする。仰臥で使用する場合は、支え杆を回動させて書見台の前側に配設する。更に支え杆を支柱に沿つて上下に移動させて適切な傾斜角度を決める。上方に移動させると鋭角になり、下方に移動させると鈍角に角度を設定できる。更に仰臥で使用する場合は、仰臥した身体の両側に支柱と支え杆が配置するようにし、腹部の上方に載置板が配置するようにする。【００１１】  例えば、座位で小型本と大型本の複数使用する場合、上段の載置板に小型本を載置し、下段の載置板を大型本の縦サイズ分下方に移動して、大型本を載置する。仰臥で使用する場合、載置板の下方に身体を置く空間が必要であるため、下段の載置板に小型本を載置する。上段に大型本を載置するため本支え板に設けた二本の補助杆に、本の表紙を紙挟み等で挟んで取り付け使用すると、本が前方に倒れ落下することを防止できる。【００１２】  載置板と支え杆の設定位置が決定したら、支柱と載置板、支柱と支え杆夫々の取り付けをビスと蝶ナツトで締め付けて固定する。【００１３】  また、支え杆を載置板に直接取り付けたものの作用は次の通りである。書見台の傾斜角度を調節するには、支え杆を取り付けた載置板を支柱に沿い上下に移動させて設定する。仰臥と座位の使用状態の切り替えは、載置板を回動させて向きを変えて使用する。【００１４】  更に、頁押えの取り付けが回動自在としたものの作用は次ぎの通りである。本の読み始めと終了間際は頁が薄く、捲りあがるため頁押えを回動させて、捲りあがらない位置に調節するようにする。
【発明の効果】
【００１５】  上述したように本発明の書見台は、仰臥、座位両方の状態で同時に複数の本を使用できるようになつた。また大型本を使用する場合は、載置板を上下に移動させて本のサイズに合わせて使用でき、且つ本支え板や補助杆と本の表紙を紙挟み等でとめて使用でき、また支柱を床に配置できるので手で支える必要がなく、安定的に使用できるようになつた。
【発明を実施するための最良の形態】
【００１６】  以下、本発明の実施の形態を図１〜図３に基づいて説明する。【００１７】  図１においては、１は本を置く載置板で長方形板状を形成している。載置板１の両側部に切割溝１３を設けた取付孔１１を穿設している。また切割溝１３に直角にビス孔１４を穿設している。取付孔１１に挿通した支柱２は、ビス孔１４に設けたビス９と蝶ナツト１６で切割溝１３を締め付けて載置板１に固定している。また載置板１の前側二箇所の適宜の位置に、透明なプラスチツク板で長方形板状の頁押え３をビス５で回動自在に取り付けている。上段の載置板１に取り付けている本支え板４は上方と下方に突出するように取り付けており、下段に取り付けている本支え板４は上方に突出するように取り付けている。また上段の載置板１の裏側の両側に長方形板状の補助杆７をビス８と蝶ナツト１０で回動自在に取り付けている。【００１８】  ２は書見台を立設する支柱で断面円形状を形成している。６は支柱２の立設を支える支え杆で長方形板状を形成している。支え杆６の一端部側に切割溝１３を設けた取付孔１１を穿設している。【００１９】  実施例２のものは、一本の支え杆６で書見台を支えている。支え杆６の一方側に取付溝２０を設け、下段の載置板１の中央下部にビス１７と蝶ナツト１８で取り付けている。【００２０】以下、上記構成の動作を説明する。まず、実施例１のものを仰臥で使用するには、載置板１に穿設している取付孔１１に支柱２を挿通し、使用する本のサイズにより載置板１を上下に移動させて位置を決め、取付孔１１の切割溝１３をビス９と蝶ナツト１６で締め付けて、載置板１を支柱２に固定する。この場合、下段の載置板１と床面に身体が入る間隔が必要条件となる。また、上段の本支え板４に設けている補助杆７を上方向きに配置し、ビス８と蝶ナツト１０で締め付けて固定する。次に、二本の支え杆６を夫々の支柱２を軸に回動させ、前側に配置する。支え杆６を上下に移動させて書見台の適切な傾斜角度に調節し取付孔１１の切割溝１３をビス９と蝶ナツト１６で締め付けて支え杆６を支柱２に固定する。上段に載置した本は図３（ハ）に示すように本の表紙と補助杆７を紙挟み１９でとめて使用する。下段に載置した本は、図３（ハ）に示すように、本支え板４と本の表紙を紙挟み１９でとめて使用する。座位で使用するには、切割溝１３の締め付けを緩め、支柱２を軸に、支え杆６を回動させて後部側に配置して使用する。【００２１】  実施例２のものを仰臥で使用するには、下段の載置板１に取り付けた一本の支え杆６の先端部が仰臥した身体の胸部中央に配置するようにする。書見台を座位で使用するときは、支え杆６を取り付けているビス１７を軸に、取付溝２０を摺動、且つ回動させて書見台の後部側に配設する。
【図面の簡単な説明】
【００２２】
【図１】  実施例１を示す斜視図
【図２】  実施例２を示す部分斜視図
【図３】  （イ）（ロ）（ハ）使用状態を示す参考図
【図４】  （イ）（ロ）従来の書見台の参考図
【符号の説明】
【００２０】  １  載置板
２  支柱
３  頁押え
４  本支え板
６  支え杆
７  補助杆
１３  切割溝
【図１】
2006297033.tif 000003
【図２】
2006297033.tif 000004
【図３】
2006297033.tif 000005
【図４】
2006297033.tif 000006